(57)【特許請求の範囲】
【請求項１】
電池駆動する電子機器における電池の逆接続を検出する電池逆接続検出装置であって、
前記電子機器の最低動作保障電圧より小さく設定された第１の基準電圧を設定する第１の基準電圧設定手段と、
前記電子機器の電池が逆接続された場合の電圧より大きく設定された第２の基準電圧を設定する第２の基準電圧設定手段と、
前記電子機器の非動作時の電圧を蓄電する蓄電手段と、
前記第１の基準電圧設定手段、前記第２の基準電圧設定手段及び前記蓄電手段に基づいて前記電池が逆接続であると判断する判断手段と
を備え、
前記電子機器の動作時の総電圧が前記第２の基準電圧よりも小さく、かつ前記蓄電手段に蓄電される電圧より大きい時に前記判断手段によって電池が逆接続であると判断することを特徴とする電池逆接続検出装置。
【請求項２】
電池駆動する電子機器における電池の逆接続を検出する電池逆接続検出装置であって、
前記電子機器の最低動作保障電圧より小さく設定された第１の基準電圧を設定する第１の基準電圧設定手段と、
前記電子機器の電池が逆接続された場合の電圧より大きく設定された第２の基準電圧を設定する第２の基準電圧設定手段と、
前記電子機器の非動作時の電圧を蓄電する蓄電手段と、
前記第１の基準電圧設定手段、前記第２の基準電圧設定手段及び前記蓄電手段に基づいて前記電池が逆接続であると判断する判断手段と
を備え、
前記電子機器の動作時の総電圧が前記第１の基準電圧よりも小さい時に前記判断手段によって電池が逆接続であると判断する
ことを特徴とする電池逆接続検出装置。
【請求項３】
電池の逆接続を検出する電池逆接続検出手段を備えた電子機器であって、
前記電子機器の最低動作保障電圧より小さく設定された第１の基準電圧を設定する第１の基準電圧設定手段と、
前記電子機器の電池が逆接続された場合の総電圧より大きく設定された第２の基準電圧を設定する第２の基準電圧設定手段と、
前記電子機器の非動作時の電圧を蓄電する蓄電手段と、
前記第１の基準電圧設定手段、前記第２の基準電圧設定手段及び前記蓄電手段に基づいて前記電池が正常接続か逆接続かを判断する判断手段と
を備え、
前記電子機器の動作時の総電圧が前記第２の基準電圧よりも小さく、かつ前記蓄電手段に蓄電される電圧より大きい時に前記判断手段によって電池が逆接続であると判断する
ことを特徴とする電子機器。
【請求項４】
電池の逆接続を検出する電池逆接続検出手段を備えた電子機器であって、
前記電子機器の最低動作保障電圧より小さく設定された第１の基準電圧を設定する第１の基準電圧設定手段と、
前記電子機器の電池が逆接続された場合の総電圧より大きく設定された第２の基準電圧を設定する第２の基準電圧設定手段と、
前記電子機器の非動作時の電圧を蓄電する蓄電手段と、
前記第１の基準電圧設定手段、前記第２の基準電圧設定手段及び前記蓄電手段に基づいて前記電池が正常接続か逆接続かを判断する判断手段と
を備え、
前記電子機器の動作時の総電圧が前記第２の基準電圧よりも小さく、かつ前記蓄電手段に蓄電される電圧より大きい時に前記判断手段によって電池が逆接続であると判断することを特徴とする電子機器。
【請求項５】
電池の逆接続を検出する電池逆接続検出手段を備えた電子機器であって、
前記電子機器の最低動作保障電圧より小さく設定された第１の基準電圧を設定する第１の基準電圧設定手段と、
前記電子機器の電池が逆接続された場合の総電圧より大きく設定された第２の基準電圧を設定する第２の基準電圧設定手段と、
前記電子機器の非動作時の電圧を蓄電する蓄電手段と、
前記第１の基準電圧設定手段、前記第２の基準電圧設定手段及び前記蓄電手段に基づいて前記電池が正常接続か逆接続かを判断する判断手段と
を備え、
前記電子機器の動作開始時の総電圧が前記第１の基準電圧よりも大きく、かつ前記蓄電手段に蓄電される電圧より小さい時に前記判断手段によって電池が正常接続であると判断する
ことを特徴とする電子機器。
【請求項６】
電池の逆接続を検出する電池逆接続検出手段を備えた電子機器であって、
前記電子機器の最低動作保障電圧より小さく設定された第１の基準電圧を設定する第１の基準電圧設定手段と、
前記電子機器の電池が逆接続された場合の総電圧より大きく設定された第２の基準電圧を設定する第２の基準電圧設定手段と、
前記電子機器の非動作時の電圧を蓄電する蓄電手段と、
前記第１の基準電圧設定手段、前記第２の基準電圧設定手段及び前記蓄電手段に基づいて前記電池が正常接続か逆接続かを判断する判断手段と
を備え、
前記電子機器の動作時の総電圧が前記第１の基準電圧よりも小さい時に前記判断手段によって電池が逆接続であると判断する
ことを特徴とする電子機器。
【発明の詳細な説明】
【０００１】
【発明の属する技術分野】
本発明は、本発明は、電池の逆接続を検出する装置及びその電池逆接続検出装置を備えた電子機器に関するものである。
【０００２】
【従来の技術】
近年、電池駆動する電子機器において、例えばアルカリ電池の逆接続による発熱や漏液が問題となっている。このような問題を解消するために、従来の電子機器の電池収納部は、図４に示すように、正端子側に設けられている凹部１に、端子板２が埋め込まれ、負端子側に設けられている係止部３に、ばね４が一端が突出するように係止された構成となっている。
【０００３】
このような構成によれば、図４（Ａ）に示すように、電池５を正常挿入した場合は、凸部となっている電池５の正端子側が凹部１にはまり込んで端子板２と接触し、平坦になっている電池５の負端子側がばね４の一端に接触するので、電池５の正端子、負端子共に接続され、電池電圧が電子機器に供給される。
一方、図４（Ｂ）に示すように、電池５を逆挿入した場合は、凸部となっている電池５の正端子側はばね４の一端に接触するが、平坦になっている電池５の負端子側は凹部１にはまり込まないため端子板２と接触しないので、電池５の負端子が接続されず、電池電圧が電子機器に供給されることもない。
従って、電池５の逆接続による発熱や漏液を未然に防止することができる。
【０００４】
ところが、このような構成の電池収納部の場合、１本の電池５に対しては逆接続による不具合を防止することができるが、例えば図５に示すように、３本の電池５を直列接続するときに中間の電池５のみを逆接続してしまうと、両端の電池５の各正端子、負端子が接続されてしまうため、中間の電池５が両端の電池５との電圧差により充電されてしまい、同様の不具合が発生するという問題があった。
【０００５】
そこで、電池の逆接続を電気的に検出する電池逆接続検出装置が提案されている。図６は、従来の電池逆接続検出装置の一例を示す回路図である。
この電池逆接続検出装置１０は、１本の電池が逆接続された時の総電圧と同一の基準電圧Ｒｅｆを有する基準電源１１を設けておき、電池電源１２の総電圧ＥN が基準電源１１の基準電圧Ｒｅｆより下がった場合、電圧比較器１３からの出力を断ってトランジスタ１４をカットオフさせ、これによりトランジスタ１５をカットオフさせて電池電源１２を断つように構成されている。
【０００６】
【発明が解決しようとする課題】
上述した従来の電池逆接続検出装置１０を備えた電子機器では、電池の使用本数が多いほど、最低動作保証電圧が上がってしまい、結果として電池接続時間が短くなるという欠点がある。その理由は、例えば、電池１本の電圧をＥとし、電池の使用本数をＮ本としたとき、電子機器の最低動作保証電圧は、一般的に電池１本の電圧が７０％程度になるまで電子機器の最低動作保証を行っているため、０．７・Ｎ・Ｅとなる一方、最大電圧の電池の電圧が１０％程度高くなるので、１．１・（Ｎ−２）・Ｅとなる。
【０００７】
ここで、電子機器の最低動作保証電圧をＶFmin、１本の電池が逆接続された時の総電圧をＶRmaxとすると、逆接続時の総電圧ＶRmaxの検知レベルを電子機器の最低動作保証電圧ＶFmin以下、即ちＶRmax＜ＶFminにするためには、次式（１）が成立する必要がある。
１．１・（Ｎ−２）・Ｅ＜０．７・Ｎ・Ｅ・・・（１）
【０００８】
この式（１）を解くとＮ＜５となるので、電池の使用本数が６本以上では、ＶRmax＞ＶFminとなってしまう。よって、６本以上の電池を使用する電子機器に従来の電池逆接続検出装置１０を組み込むと、その電子機器の最低動作保証電圧ＶFminは逆接続時の総電圧ＶRmaxで決定されてしまうという問題があった。
【０００９】
本発明は、上記課題を解消するためになされたものであり、電池の使用本数に拘わらず、電子機器の最低動作保証電圧に影響を与えずに、電池の逆接続を検出することができるようにすることを目的としている。
【００１０】
【課題を解決するための手段】
本発明電池逆接続検出装置は、電池駆動する電子機器における電池の逆接続を検出する電池逆接続検出装置であって、この電子機器の最低動作保障電圧より小さく設定された第１の基準電圧を設定する第１の基準電圧設定手段と、この電子機器の電池が逆接続された場合の電圧より大きく設定された第２の基準電圧を設定する第２の基準電圧設定手段と、この電子機器の非動作時の電圧を蓄電する蓄電手段と、この第１の基準電圧設定手段、この第２の基準電圧設定手段及びこの蓄電手段に基づいてこの電池が逆接続であると判断する判断手段とを備え、この電子機器の動作時の総電圧がこの第２の基準電圧よりも小さく、かつこの蓄電手段に蓄電される電圧より大きい時にこの判断手段によって電池が逆接続であると判断するものである。
【００１１】
本発明電子機器は、電池の逆接続を検出する電池逆接続検出手段を備えた電子機器であって、この電子機器の最低動作保障電圧より小さく設定された第１の基準電圧を設定する第１の基準電圧設定手段と、この電子機器の電池が逆接続された場合の総電圧より大きく設定された第２の基準電圧を設定する第２の基準電圧設定手段と、この電子機器の非動作時の電圧を蓄電する蓄電手段と、この第１の基準電圧設定手段、この第２の基準電圧設定手段及びこの蓄電手段に基づいてこの電池が正常接続か逆接続かを判断する判断手段とを備え、この電子機器の動作時の総電圧がこの第２の基準電圧よりも小さく、かつこの蓄電手段に蓄電される電圧より大きい時に前記判断手段によって電池が逆接続であると判断するものである。
【００１２】
上記構成によれば、電池を正常に接続している状態で電池の電圧が低下してくると、電池の内部抵抗は上昇し、一方、電池を逆接続している状態で電池の電圧が低下しても、電池の内部抵抗は上昇しない点に着目している。即ち、一般的に電池の内部抵抗は、図７に示すように、電池構成物（陽極合剤、電解液、集電体等）の固有抵抗Ｒ0 や消費電流の大きさに依存せず、電流が増加することで減少する抵抗Ｒ及び容量Ｃで表すことができ、電池を放電していくと、陽極合剤及び電解液の電気伝導率の減少に起因して、電圧は時間と共に低下し、逆に内部抵抗は内部の放電反応の繰り返しにより時間と共に上昇する。従って、逆接続時の電池の電圧と同一の電圧になるときの正常接続時の電池の内部抵抗の変化から逆接続を検出することができる。
【００１３】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
図１は、本発明の電池逆接続検出装置の実施形態を示すブロック図である。
この電池逆接続検出装置１００は、３個の電圧比較器ＣＯＭＰ１，ＣＯＭＰ２，ＣＯＭＰ３を備えており、電圧比較器ＣＯＭＰ１の正入力端子には基準電圧Ｖ１の基準電源Ｐ１が接続され、電圧比較器ＣＯＭＰ２の正入力端子にはダイオードＤ１，Ｄ２を介して電池電源Ｂの一端子が接続され、電圧比較器ＣＯＭＰ３の負入力端子には基準電圧Ｖ２の基準電源Ｐ２が接続され、電圧比較器ＣＯＭＰ１の負入力端子と電圧比較器ＣＯＭＰ２の負入力端子と電圧比較器ＣＯＭＰ３の正入力端子とが接続されている。ダイオードＤ１，Ｄ２の間には、コンデンサＣ１の一端が接続されている。
【００１５】
一方、電圧比較器ＣＯＭＰ２の出力端子は状態保持回路ＲＣに接続され、さらに状態保持回路ＲＣと電圧比較器ＣＯＭＰ３の出力端子がＡＮＤ回路ＡＣの入力端子に接続されており、電圧比較器ＣＯＭＰ１の出力端子とＡＮＤ回路ＡＣの出力端子がＯＲ回路ＯＣの入力端子に接続されている。
電池電源Ｂの一端子は、スイッチＳＷを介してトランジスタＱ１のエミッタに接続され、トランジスタＱ１のコレクタは電子機器の負荷ＲL に接続され、トランジスタＱ１のベースはトランジスタＱ２のコレクタに接続されている。
【００１６】
電圧比較器ＣＯＭＰ１の負入力端子と電圧比較器ＣＯＭＰ２の負入力端子と電圧比較器ＣＯＭＰ３の正入力端子との接続端は状態保持回路に接続されていると共に、抵抗Ｒ１を介してトランジスタＱ２のベースに接続され、さらにトランジスタＱ３のコレクタに接続されている。そして、トランジスタＱ３のベースが、コンデンサＣ２の一端に接続されていると共に、抵抗Ｒ２を介してＯＲ回路ＯＣの出力端子に接続されている。
【００１７】
ここで、基準電源Ｐ１の基準電圧Ｖ１は、電子機器の最低動作保証電圧ＶFminより小さくなるように設定され（Ｖ１＜ＶFmin）、基準電源Ｐ２の基準電圧Ｖ２は、１本の電池が逆接続された時の総電圧をＶRmaxより大きくなるように設定され（Ｖ２＞ＶRmax）、電圧比較器ＣＯＭＰ２の正入力端子側の基準電圧Ｖ３は、電池が正常に接続された時の総電圧（開放電圧）Ｅ０が１本の電池が逆接続された時の総電圧ＶRmaxと同一電圧のときのスイッチＳＷがオン状態（導通状態）における電圧Ｖref と等しくなるように設定されている（Ｖ３＝Ｖref ）。
【００１８】
そして、コンデンサＣ１には、電池が正常に接続された時の総電圧（開放電圧）Ｅ０が逆流防止用のダイオードＤ１を介して常時加わっている。この状態でスイッチＳＷがオン状態になったとき、電池の逆接続が検出される条件、即ちＯＲ回路ＯＣのポイントＣへの出力がＨレベルになる条件は、以下の２条件のいずれかを満たすときである。
【００１９】
（１）電圧比較器ＣＯＭＰ１のポイントＡへの出力がＨレベルになったとき、即ちスイッチＳＷがオン状態のときの電圧Ｖ０が基準電源Ｐ１の基準電圧Ｖ１より小さいとき（Ｖ０＜Ｖ１）
（２）電圧比較器ＣＯＭＰ２及びＣＯＭＰ３のポイントＤ，Ｅへの出力がＬレベルになって、ＡＮＤ回路ＡＣのポイントＢへの出力がＨレベルになったとき、即ちスイッチＳＷがオン状態のときの電圧Ｖ０が基準電源Ｐ２の基準電圧Ｖ２より小さく、かつ基準電源Ｐ３の基準電圧Ｖ３より大きいとき（Ｖ０＜Ｖ２  ａｎｄ  Ｖ０＞Ｖ３）
【００２０】
次に、具体的な電池の接続状態における動作を図２のタイムチャートを参照して説明する。
未使用電池が正常に接続された場合（図２（ａ））
この場合、電池電源Ｂの内部抵抗（合成抵抗）Ｒ０が電子機器の負荷ＲL より極めて低いため（Ｒ０＜＜ＲL ）、電池が正常に接続された時の総電圧（開放電圧）Ｅ０はスイッチＳＷがオン状態のときの電圧Ｖ０と等しくなり（Ｅ０＝Ｖ０）、ダイオードＤ２によりスイッチＳＷがオン状態のときの電圧Ｖ０は基準電源Ｐ３の基準電圧Ｖ３より大きくなるが（Ｖ０＞Ｖ３）、スイッチＳＷがオン状態のときの電圧Ｖ０は基準電源Ｐ２の基準電圧Ｖ２より大きくなるため（Ｖ０＞Ｖ２）、上記条件（２）（Ｖ０＜Ｖ２  ａｎｄ  Ｖ０＞Ｖ３）を満たさない。
【００２１】
また、スイッチＳＷがオン状態のときの電圧Ｖ０は基準電源Ｐ１の基準電圧Ｖ１より大きくなるため（Ｖ０＞Ｖ１）、上記条件（１）（Ｖ０＜Ｖ１）も満たさない。
従って、トランジスタＱ３はカットオフ状態となり、トランジスタＱ２のベースには抵抗Ｒ１によりバイアスが供給されるので、トランジスタＱ２，Ｑ１が導通状態となり、電子機器の負荷ＲL に電流Ｉ１が流れる。
【００２２】
未使用電池が１本逆接続された場合（図２（ｂ））
この場合、上記未使用電池が正常に接続された場合と同様に、スイッチＳＷがオン状態のときの電圧Ｖ０は基準電源Ｐ１の基準電圧Ｖ１より大きくなると共に（Ｖ０＞Ｖ１）、スイッチＳＷがオン状態のときの電圧Ｖ０は基準電源Ｐ３の基準電圧Ｖ３より大きくなるが（Ｖ０＞Ｖ３）、基準電源Ｐ２の基準電圧Ｖ２は、１本の電池が逆接続された時の総電圧をＶRmaxより大きくなるように設定されているので（Ｖ２＞ＶRmax）、スイッチＳＷがオン状態のときの電圧Ｖ０は基準電源Ｐ２の基準電圧Ｖ２より小さくなるため（Ｖ０＜Ｖ２）、上記条件（２）（Ｖ０＜Ｖ２ａｎｄ Ｖ０＞Ｖ３）を満たす。
【００２３】
従って、電池の逆接続が検出される。但し、抵抗Ｒ２とコンデンサＣ２により次式（２）で表される時間遅れｔ２が生じてトランジスタＱ２，Ｑ１がカットオフされるので、電子機器の負荷ＲL においては電流Ｉ１がｔ２時間流れた後に断たれることになる。尚、この時間遅れｔ２を生じさせる理由は、スイッチＳＷをオン状態にした一瞬だけ電子機器の負荷ＲL に電流Ｉ１を流し、電池電源Ｂの内部抵抗Ｒ０の大小を知るためである。
ｔ２＝−Ｃ２・Ｒ２・ｌｎ｛（Ｅ０−ＥC2）／Ｅ０｝・・・（２）
【００２４】
使用電池が正常に接続された場合（図２（ｃ））
この場合、電池の消耗状態により、スイッチＳＷがオン状態のときの電圧Ｖ０は基準電源Ｐ１の基準電圧Ｖ１より大きくなったり、小さくなったりする（Ｖ０＞Ｖ１，Ｖ０＜Ｖ１）。また、電池が使用されているため電池電源Ｂの内部抵抗Ｒ０が高まり、スイッチＳＷがオン状態のときの電圧Ｖ０は基準電源Ｐ３の基準電圧Ｖ３より小さくなるので（Ｖ０＜Ｖ３）、電圧比較器ＣＯＭＰ２の内部抵抗をＲinとすると、次式（３）で表される時間ｔ１だけ電圧比較器ＣＯＭＰ２のポイントＤへの出力がＨレベルになり、これはスイッチＳＷをオフ状態にしない限り状態保持回路で保持される。
ｔ１＝−Ｃ１・Ｒin・ｌｎ（Ｖ３／Ｅ０）・・・（３）
【００２５】
従って、ＡＮＤ回路ＡＣのポイントＢへの出力は電圧比較器ＣＯＭＰ３のポイントＥへの出力に関係無くＬレベルとなるので、上記未使用電池が正常に接続された場合と同様に、電子機器の負荷ＲL に電流Ｉ１が流れる。
【００２６】
使用電池が１本逆接続された場合（図２（ｄ））
この場合、スイッチＳＷがオン状態のときの電圧Ｖ０は基準電源Ｐ１の基準電圧Ｖ１より小さくなるので（Ｖ０＜Ｖ１）、上記条件（１）（Ｖ０＜Ｖ１）を満たす。
従って、電池の逆接続が検出される。但し、未使用電池が１本逆接続された場合と同様に、抵抗Ｒ２とコンデンサＣ２により式（２）で表される時間遅れｔ２が生じてトランジスタＱ２，Ｑ１がカットオフされるので、電子機器の負荷ＲLにおいては電流Ｉ１がｔ２時間流れた後に断たれることになる。
【００２７】
尚、プロテクト回路１０１を接続して一定時間後に非動作とし、スイッチＳＷがオン状態のときの電圧Ｖ０が基準電源Ｐ１の基準電圧Ｖ１以下になっても電子機器の使用中の電圧降下について無視させるように構成することもできる。
【００２８】
図３は、本発明の電池逆接続検出装置を備えた電子機器の実施形態としてラジオ付カセットテープレコーダを示す回路図である。尚、図１に示す符号と同一符号は同一内容を示す。
ラジオ付カセットテープレコーダ部１１０は、電源オン・オフスイッチＰＳＷがオン状態にされると、電圧ＶＣＣφがパワーアンプＰＡ及び各トランジスタＴＲ１，ＴＲ２，ＴＲ３に加わり、定電圧ダイオードＺＤ１，ＺＤ２，ＺＤ３で決定された電圧ＶＣＣ１，ＶＣＣ２，ＶＣＣ３が各トランジスタＴＲ１，ＴＲ２，ＴＲ３のエミッタに出力され、プリメインアンプＰＭＡ、モータＭ及びラジオＲへ電源が供給される。
【００２９】
よって、ファンクションスイッチＦＳＷにより選択されたソース信号が、プリメインアンプＰＭＡを介してボリュームＶＲ及びパワーアンプＰＡを通ってスピーカＳＰから出力される。このとき、パワーアンプＰＡに流れる電流Ｉ０は、ソース信号の大きさに比例して増減する。
【００３０】
電池逆接続検出装置１２０は、電源オン・オフスイッチＰＳＷがオフ状態のとき、電池が正常に接続された時の総電圧（開放電圧）Ｅ０が、逆流防止用のダイオードＤ１を介してコンデンサＣ１の両端に加わっていると共に、抵抗Ｒ１５を介してトランジスタＴＲ９のベースにも加わっているため、トランジスタＴＲ９はカットオフされている。尚、その他の回路も電源オン・オフスイッチＰＳＷがオフ状態であるので、非動作状態となっている。
【００３１】
先ず、電池電源Ｂの内部抵抗（合成抵抗）Ｒ０が低いときは、電源オン・オフスイッチＰＳＷがオン状態になると、電圧Ｖ０は電圧Ｖ３と略等しくなるので（Ｖ０≒Ｖ３）、トランジスタＴＲ９のエミッタにはＶ３−Ｄ２・Ｖ１の電圧が加わり、トランジスタＴＲ９のベースには電圧Ｖ０が加わるため、トランジスタＴＲ９はカットオフされる。
【００３２】
次に、電池電源Ｂの内部抵抗（合成抵抗）Ｒ０が高いときは、電源オン・オフスイッチＰＳＷがオン状態になると、トランジスタＴＲ４のベースに抵抗Ｒ５及びコンデンサＣ３が接続されているため、抵抗Ｒ５が抵抗Ｒ６及びＲ７より極めて高いとすると（Ｒ５＞＞Ｒ６及びＲ７）、次式（４）で表される時間ｔ３だけ遅れるので、トランジスタＴＲ４より前段の条件に拘わらず、時間ｔ３の間はトランジスタＴＲ４はカットオフされる。
ｔ３＝−Ｃ３・Ｒ５・ｌｎ｛（Ｖ０−ＴＲ４・Ｖ１）／Ｖ０｝・・・（４）
【００３３】
従って、電流Ｉ０，Ｉ１，Ｉ２，Ｉ３の合計分だけ電流が流れ、抵抗Ｒ０により電圧降下が発生して電圧Ｖ０が下がり、電圧Ｖ３が電圧Ｖ０より大きくなると（Ｖ３＞Ｖ０）、トランジスタＴＲ９はオン状態になる。そして、トランジスタＴＲ８のベースにベース電流を制限する抵抗Ｒ１４を介してベース電流が流れる。
【００３４】
よって、トランジスタＴＲ８が導通状態となり、トランジスタＴＲ７のベースはグラウンドされる。結果として、抵抗Ｒ１３によりプルアップされていたトランジスタＴＲ７のベースの電位が下がり、トランジスタＴＲ７はオン状態となる。そして、この状態が次式（５）で表される時間ｔ４続くと、トランジスタＴＲ８のベースがトランジスタＴＲ７により自己バイアスされるので、ラッチ状態となる。
ｔ４＝−Ｃ２・Ｒ１２・ｌｎ｛（ＴＲ８・Ｖ１）／Ｖ０｝・・・（４）
【００３５】
一方、電圧Ｖ０が定電圧ダイオードＺＤ５の電圧Ｖ１を越えたとき（Ｖ０＞Ｖ１）、定電圧ダイオードＺＤ５は導通状態となり、電流が逆流防止用のダイオードＤ３及びベース電流を制限する抵抗Ｒ１０を介してトランジスタＴＲ６のベースに流れる。
また、電流がトランジスタＴＲ７から出力されたときも同様に逆流防止用のダイオードＤ６を介してトランジスタＴＲ６のベースに流れる。そして、トランジスタＴＲ６により電圧Ｖ０が電圧Ｖ２よりも小さく（Ｖ０＜Ｖ２）、かつ電圧Ｖ０が電圧Ｖ３よりも大きくなったとき（Ｖ０＞Ｖ３）、電流がダイオードＤ４及び抵抗Ｒ５を介してトランジスタＴＲ４のベースへ流れる。
【００３６】
また、電圧Ｖ０が定電圧ダイオードＺＤ４の電圧Ｖ２を越えたとき（Ｖ０＞Ｖ２）、抵抗Ｒ９の両端に電圧が表れ、抵抗Ｒ８を介してトランジスタＴＲ５のベースへ導かれる。
そして、トランジスタＴＲ５のコレクタに反転した出力が表れ、電圧Ｖ０が電圧Ｖ１より小さくなったとき（Ｖ０＜Ｖ１）、電流がダイオードＤ４及び抵抗Ｒ５を介してトランジスタＴＲ４のベースへ流れる。
【００３７】
よって、結果的に電池の逆接続時にトランジスタＴＲ４がオン状態となり、トランジスタＴＲ１，ＴＲ２，ＴＲ３の各ベースに加えられる電圧がトランジスタＴＲ４によりグラウンドされるため、プリメインアンプＰＡ等が非動作状態になる。
ここで、ラジオ付カセットテープレコーダ部１１０の電源を切るように構成することもできる。また、ラジオ付カセットテープレコーダ部１１０と電池逆接続検出装置１２０との接続線の途中にコンデンサＣ４を接続し、一定時間過電流を流すことで電池電源Ｂの内部抵抗（合成抵抗）Ｒ０を検出するように構成することもできる。
【００３８】
【発明の効果】
以上説明したように、本発明によれば、電池の使用本数に拘わらず、電子機器の最低動作保証電圧を上昇させることなく電池の逆接続を検出し、電池の発熱や漏液を未然に防止することができる。
【図面の簡単な説明】
【図１】本発明の電池逆接続検出装置の実施形態を示すブロック図。
【図２】図１の電池逆接続検出装置の具体的な電池の接続状態における動作を示すタイムチャート。
【図３】本発明の電池逆接続検出装置を備えた電子機器の実施形態としてラジオ付カセットテープレコーダを示す回路図。
【図４】従来の電子機器の電池収納部の一例を示す図。
【図５】図４の電池収納部の問題点を示す図。
【図６】従来の電池逆接続検出装置の一例を示す回路図。
【図７】電池の内部抵抗を説明するための回路図。
【符号の説明】
１００、１２０・・・電池逆接続検出装置、Ｂ・・・電池電源、ＣＯＭＰ１，ＣＯＭＰ２，ＣＯＭＰ３・・・電圧比較器（検出手段）、Ｐ１、Ｐ２・・・基準電源（検出手段）、Ｄ１、Ｄ２・・・ダイオード（検出手段）、Ｃ１・・・コンデンサ（蓄電手段）、ＲＣ・・・状態保持回路（検出手段）、ＡＣ・・・ＡＮＤ回路（検出手段）、ＯＣ・・・ＯＲ回路（検出手段）、Ｒ１、Ｒ２・・・抵抗（検出手段）、Ｃ２・・・コンデンサ（検出手段）、ＳＷ・・・スイッチ（検出手段）、Ｑ１、Ｑ２、Ｑ３・・・トランジスタ（検出手段）、ＲL ・・・電子機器の負荷、１１０・・・ラジオ付カセットテープレコーダ部
【図１】
0003893723.tif 000002
【図２】
0003893723.tif 000003
【図３】
0003893723.tif 000004
【図４】
0003893723.tif 000005
【図５】
0003893723.tif 000006
【図６】
0003893723.tif 000007
【図７】
0003893723.tif 000008